(57)【要約】【課題】快適な睡眠を提供するとともに、、寝返りなどに起因する筋違いや肩こりを抑制する。【解決手段】長方形状の基板２と、基板２の四隅の上面に折畳自在に立設された支持部材３と、支持部材３に支持された載置板４と、各支持部材３の上端部と載置板４とを連結するゴムベルト５とを備えている。このゴムベルト５を介して、支持部材３の上端部に載置板４が揺動自在に吊り下げられている。この載置板４の上面には、枕１３を介して頭部１４が載せられている。【選択図】  図１
2004236723.tif 000002
【特許請求の範囲】
【請求項１】
基板と、この基板の上面に立設された複数の支持部材と、この支持部材に支持されて人体の頭部を載置可能な載置板とを備え、前記支持部材に前記頭部が前記載置板を介して支持される支持頭部支持台であって、
前記支持部材の上端部に、前記載置板を揺動自在に吊り下げたことを特徴とする頭部支持台。
【請求項２】
前記各支持部材の下端部と前記基板との間に折畳機構を設け、前記各支持部材を折畳自在に立設したことを特徴とする請求項１記載の頭部支持台。
【請求項３】
前記各支持部材の上端部と前記載置板とを弾性体を介して連結したことを特徴とする請求項２記載の頭部支持台。
【請求項４】
前記各支持部材を前記基板の左右端に前後に立設して、前後の前記支持部材の上端部間を連結部材により連結するとともに、前記両連結部材間を連結軸により連結し、
前記連結軸と前記載置板とを弾性体を介して連結したことを特徴とする請求項１記載の頭部支持台。
【請求項５】
前記基板の一方側に立設された左右の前記支持部材の外面に、コ字状の支持具の両端部を設けるとともに、
前記支持具の中央部に書見板を回転自在に設けたことを特徴とする請求項４記載の頭部支持台。
【請求項６】
前記各支持具の両端部は、それぞれ二枚のプレートをスライド自在に接合してなり、
一方のプレートが左右の前記支持部材の外面に回動自在に連結されているとともに、他方のプレートをスライドさせて伸縮自在なことを特徴とする請求項５記載の頭部支持台。
【発明の詳細な説明】
【０００１】
【発明の属する技術分野】
本発明は、人体の頭部を揺動自在に支持して、首や肩の負担を軽減する頭部支持台に関する。
【０００２】
【従来の技術】
（１）本発明は、先行技術調査を行うことなく、公知・公用の枕を基に開発した発明であるため、出願人の知っている先行技術は公知文献発明ではなく、先行技術文献情報は存在しない。
（２）周知のように、枕は寝具のひとつとして就寝時はもちろんのこと、仮眠時や疲労時に横臥した場合などにも、頭部を支持するために使用されている。
【０００３】
このとき枕は、人体の頭部を支えて睡眠中に身体全体と頭部とが不自然な形にならないようにする役割を果たしている。
【０００４】
そして、一般的な枕は、袋状の外袋内に、もみ殻・そば殻・ウレタンゴムなどを詰めて緩衝性やクッション性を持たせるとともに、枕自体が変形して、高さ調整可能になっている。
【０００５】
【発明が解決しようとする課題】
しかしながら、就寝中は、仰向や横臥など様々な姿勢を繰り返すため、最も快適な姿勢で眠りについても、寝返りを打ったり、横向きになったときに、首や肩に無理が生じる。したがって、従来の枕のみでは、安眠が妨げられるばかりか、筋違いや肩こりがなどが生じるおそれがあり、その対策が望まれていた。
【０００６】
【課題を解決するための手段】
本発明は、前記従来の問題に鑑み、案出されたもので、請求項１記載の発明は、基板と、この基板の上面に立設された複数の支持部材と、この支持部材に支持されて人体の頭部を載置可能な載置板とを備え、前記支持部材に前記頭部が前記載置板を介して支持される支持頭部支持台であって、前記支持部材の上端部に、前記載置板を揺動自在に吊り下げたことを特徴としている。
【０００７】
この発明は、主として載置板上に枕を載せて使用され、載置板が支持部材の上端部に吊り下げられているため、就寝中に首に加わる重力が軽減される。特に、就寝中に寝返りを打ったり、横向きになった場合などには、頭部の重心が移動するが、載置板が頭部の動きに追従して揺動するため、就寝中に首や肩に不自然な力が加わり難くい。
【０００８】
請求項２記載の発明は、前記各支持部材の下端部と前記基板との間に折畳機構を設け、前記各支持部材を折畳自在に立設したことを特徴としている。
【０００９】
この発明によれば、各支持部材が折畳自在なため、収納が容易であり、かつ手軽に持ち運ぶことができる。
【００１０】
請求項３記載の発明は、前記各支持部材の上端部と前記載置板とを弾性体を介して連結したことを特徴としている。
【００１１】
請求項４記載の発明は、前記各支持部材を前記基板の左右端に前後に立設して、前後の前記支持部材の上端部間を連結部材により連結するとともに、前記両連結部材間を連結軸により連結し、前記連結軸と前記載置板とを弾性体を介して連結したことを特徴としている。
【００１２】
前記弾性体には、例えばゴムベルトやコイルばね等が使用され、これらは頭部の質量に応じて伸張するため、頭部を載置板上に載せたときのクッション性が向上する。
【００１３】
請求項５記載の発明は、前記基板の一方側に立設された左右の前記支持部材の外面に、コ字状の支持具の両端部を設けるとともに、前記支持具の中央部に書見板を回転自在に設けたことを特徴としている。
【００１４】
したがって、書籍を書見板に載置固定して、両手で書籍などを持つことなく、寝たままの状態で読書をすることができ、また書見板を回転させて書籍の位置角度を調整することができる。
【００１５】
請求項６記載の発明は、前記各支持具の両端部は、それぞれ二枚のプレートをスライド自在に接合してなり、一方のプレートが左右の前記支持部材の外面に回動自在に連結されているとともに、他方のプレートをスライドさせて伸縮自在なことを特徴としている。
【００１６】
したがって、支持具全体を上下方向に回動することができ、かつ他方のプレートをスライドさせて、支持具の両端部の長さを調整することができる。
【００１７】
【発明の実施の形態】
図１は、本発明の第１実施形態に係る頭部支持台１を示し、この頭部支持台１は、就寝時などに人体の頭部を揺動自在に支持している。
【００１８】
前記頭部支持台１は、図１に示すように、長方形状の樹脂製の基板２と、この基板２の四隅に折畳自在に立設された樹脂製の支持部材３と、この支持部材３に支持されて人体の頭部１４を載置可能な樹脂製の載置板４と、この載置板４と前記支持部材３とを連結する４本の伸縮自在なゴムベルト５とを備えている。
【００１９】
前記各支持部材３は、四角柱状に形成されているとともに、下端部の側面と前記基板４の上面との間に折畳機構６を有している。この折畳機構６は、軸部７を介して開閉自在なＬ字状の両端板８と、この両端板８の内周面を連結支持する二枚の支持板９とを備え、一方の前記両端板８が前記基板２の上面に固定され、他方の前記両端板８が前記支持部材３の側面に固定されている。
【００２０】
前記両支持板９は、それぞれの一端部が前記両端板８の内周面に可動自在に連結されているとともに、上側の支持板９が凸状のストッパー部１１を有し、他方の支持板９が大小連続したストッパー穴１２を有している。この両スルッパー穴１２に前記ストッパー部１１がスライド自在に挿入されており、前記ストッパー部１１が大きいストッパー穴１２に位置するときには、両支持板９の接合部が、矢印Ｎに示すように可動する一方、前記ストッパー部１１が、小さいストッパー穴１２に位置するときには、両支持９板が直線状に固定され、これにより前記各支持部材９が折畳自在になっている。
【００２１】
前記載置板４は、長方形状に形成されているとともに、下面と前記基板２の上面との間には所定の空間を有している一方、図１中の破線に示すように、上面に枕１３が載置される。この枕１３は、例えば外袋内にもみ殻・そば殻・ウレタンゴムなどを詰めた一般的なものでよく、図１中の破線に示すように、前記載置板４の上面に載置された枕１３に頭部１４を載せて就寝することができる。
【００２２】
前記各ゴムベルト５は、上端部が前記各支持部材３の上端面に固着されている一方、下端部が前記載置板４の四隅の下面に固着され、これにより前記載置板４が、ゴムベルト５を用いて前記支持部材３の上端部に揺動自在に吊られるようになっている。
【００２３】
したがって、頭部１４を前記載置板４に載せた場合には、頭部１４が前記載置板４及び前記ゴムベルト５を介して前記支持部材３の上端部に支持（吊支）される。これと同時に前記載置板４は、矢印Ｐ・矢印Ｑに示すように、左右前後の全水平方向に揺動するとともに、矢印Ｒに示すように、ゴムベルト５の伸縮に追従して垂直方向にも揺動する。
【００２４】
このような頭部支持台１によれば、枕１３を載置板４の上面に載せるとともに、この枕１３上に頭部１４を載せて就寝する。このときゴムベルト５が頭部１４の質量に応じて下方向に伸張するため、頭部１４を枕１３上に載せたときのクッション性が向上し、これにより頭部１４に対する衝撃が緩和される。
【００２５】
また、頭部１４が支持部材３の上端部に支持（吊支）されるため、就寝中に首に加わる重力が軽減され、これにより快適に睡眠をとることができ（寝心地がよい。）、かつ首や肩のこりも抑制される。
【００２６】
特に、就寝中に、寝返りを打ったり、横向きになった場合には、頭部１４の重心が移動するが、載置板４が頭部１４の動きに追従して揺動するため、就寝中に首や肩に不自然な力が加わり難くい。
【００２７】
したがって、首や肩の負荷が軽減され、この点でも快適な睡眠をとることができ、かつ筋違い（寝違え）・首や肩のこりが一層抑制される。また、各支持部材３が折畳自在なため、収納が容易であり、かつ手軽に持ち運ぶこともできる。
【００２８】
図２は、本発明の第２実施形態に係る頭部支持台１を示し、この頭部支持台１は、前記支持部材３が円柱状に形成されているとともに、前記折畳機構６及び前記ゴムベルト２７が取り外されている。
【００２９】
具体的には、前記頭部支持台１は、左右の前記支持部材３の上端部を前後に連結する樹脂製の連結プレート２２（連結部材）と、この各連結プレート２２の上面に固定された樹脂製の軸受２３と、この両軸受２３に支持されて前記連結プレート２２を左右に連結する連結軸２４と、前記載置板４の四隅に形成された小穴２５と、前記支持軸２４に吊り下げられた左右一対にコイルばね２６と、この各コイルばね２６の下端部と前記載置板４を連結する針金２７と、後方に配置された左右の前記支持部材の背面に形成された一対の樹脂製の受部２８と、この両受部２８に両端部が回動自在に連結されたコ字状の金属製の支持具２９と、この支持具２９の中央部に回転自在に支持された金属製の書見板３０とを有している。
【００３０】
前記コイルばね２６は、軸方向に伸縮自在なばね本体３１と、このばね本体３１の両端部に形成された大小二つに係止部３２，３３とを備え、上端部側の大きな係止部３２が前記連結軸２４に係止している一方、下端部側の小さな係止部３３に前記針金２７が係止している。
【００３１】
前記各針金２７は、両端部が前後の前記小穴２５に挿通結線されているとともに、中央部が係止リング３９を介して前記コイルばね２６の下端部側の係止部３３に係止され、これにより前記載置板４が、コイルばね２６及び針金２７を用いて、前記支持部材３の上端部に吊られるようになっている。
【００３２】
したがって、この頭部支持台１によっても、頭部１４を載置板４上に載せた場合には、頭部１４が載置板４・コイルばね２６・針金２７を介して前記支持部材３の上端部に支持（吊支）される。これと同時に載置板４は、矢印Ｐ・矢印Ｑに示すように、左右前後の全水平方向に揺動するとともに、矢印Ｒに示すように、コイルばね２６の伸縮に追従して垂直方向にも揺動する。また、コイルばね２６が頭部１４の質量に応じて下方向に伸張するため、就寝中に首に加わる重力が軽減され、かつ頭部１４を枕上に載せたときのクッション性も向上する。
【００３３】
前記支持具２９の両端部は、それぞれ相互に重なり合った二枚のプレート３４，３５を、スライド穴４０及びスライダー４１を用いてスライド自在に接合してなり、一方の基端プレート３４が前記受部２８に回動自在に連結されているとともに、他方の先端プレート３５を長手方向に沿ってスライドさせて長さ調整可能になっている。
【００３４】
前記書見板３０は、長方形状に形成されているとともに、下端部がＬ字状に折曲形成されており、書籍などをゴムバンド・磁石などを用いて載置固定することができる。この書見板３０は、背面に挿通孔３７が形成された一対の保持部３６を有している。この両挿通孔３７に前記支持具２９の中央部３８が挿通され、これにより前記支持具２９の中央部３８に書見板３０が回転自在に軸支されるようになっている。
【００３５】
したがって、書籍などを書見板３０に載置固定した場合には、両手で書籍などを持つことなく、寝たままの状態で読書をすることができる。この場合は、首に加わる重力が軽減されるとともに、頭部１４に対する衝撃も緩和されるため、快適に読書することができる。
【００３６】
また、書見板３０が支持具２９の中央部３８に回転自在に軸支されているため、矢印Ｓに示すように、書見板を所定の位置まで回転させて、書見板３０の角度を調整することができ、これにより読書が一層容易になる。
【００３７】
これと同時に支持具２９を、矢印Ｔに示すように、上下方向に回動させて書見板３０の位置を適宜変更できるとともに、書見板３０までの距離を、矢印Ｕに示すように、先端プレート３５をスライドさせて適宜変更でき、この点でも読書が容易になる。
【００３８】
さらに、支持具２９を下方向に回動させれば、収納性・運搬性に支障を生じさせることがなく、また、支持具２９を上方向に回動させれば、頭部１４を枕１３に載せるときや睡眠時の障害にもならない。
【００３９】
なお、本発明は、上記実施形態に限定されるものではなく、例えば前記載置板４に枕を一体的に取り付けることもできる。この場合は、枕の外袋内にもみ殻・そば殻・ウレタンゴムなどを詰めるとともに、前記外袋の外周縁を前記載置板４の上面に固着あるいは縫製する手段が考えられる。
【００４０】
また、前記載置板４の上面に、頭部ではなく、腰部を載せて就寝することもできる。この場合は、腰部に加わる重力が軽減されるとともに、床ずれも防止され、快適な睡眠をとることができる（寝心地がよい。）。
【００４１】
さらに、前記各連結プレート２２に前記軸受２３を前後に二つ設けるとともに、前記軸受２３間に前後二本の前記連結軸２４を装着し、この各連結軸２４にそれぞれ二つの前記コイルばね２６の係止部３２を係止させることができる。この場合は、前記針金２７を廃止して、前記コイルばね２６の係止部３３を前記載置板４の四隅の小穴２５に係止させる。
【００４２】
加えて、前記各連結プレート２２に前記軸受２３を前後に二つ設けるとともに、前記軸受２３間に前後二本の前記連結軸２４を装着し、この各連結軸２４と前記載置板４の四隅とを二本のゴムベルトを用いて連結することもできる。この場合は、各ゴムベルトの中央部を前記連結軸２４に係止する一方、その両端部を前記載置板の下面に固着させる。
【００４３】
【発明の効果】
以上の説明で明らかなように、請求項１記載の発明によれば、就寝中に首に加わる重力が軽減されるため、快適に睡眠をとることができ（寝心地がよい。）、かつ首や肩のこりも抑制される。
【００４４】
また、寝返りを打ったり、横向きになったときにも、首や肩に不自然な力が加わり難くいため、この点でも首や肩の負荷が軽減され、快適な睡眠をとることができ、かつ筋違い（寝違え）・首や肩のこりが抑制される。
【００４５】
請求項２記載の発明によれば、各支持部材が折畳自在なため、収納が容易であり、かつ手軽に持ち運ぶこともできる。
【００４６】
請求項３及び４記載の発明によれば、クッション性が向上するため、頭部の衝撃が緩和される。
【００４７】
請求項５記載の発明によれば、書籍を書見板に載置固定して、両手で書籍などを持つことなく、寝たままの状態で快適に読書をすることができる。また、書見板を回転させて、角度を調整することもでき、これにより読書が容易になる。
【００４８】
請求項６記載の発明によれば、支持を上下方向に回動させて、書見板の位置を適宜変更でき、また、支持部の両端部の長さを調整して、書見板までの距離も変更でき、この点でも読書が容易となる。
【図面の簡単な説明】
【図１】本発明の第１実施形態に係る頭部支持台の斜視図。
【図２】同      第２実施形態に係る頭部支持台の斜視図。
【符号の説明】
１…頭部支持台
２…基板
３…支持部材
４…載置板
５…ゴムベルト
６…折畳機構
２２…連結部材
２４…連結軸
２６…コイルばね
２９…支持具
３０…書見板
３４，３５…プレート
【図１】
2004236723.tif 000003
【図２】
2004236723.tif 000004